(57)【要約】      （修正有）【課題】構造が斬新で、柱などで成る軸組の補強材を兼ねることのできる、木造建物における軸組開口部の閉塞材を提供する。【解決手段】複数本の左傾斜上りの格子材９，１０と複数本の右傾斜上りの格子材１１，１２を互いに重合し、しかも、各格子材９乃至１２の中央と上下両端部の一方又は双方に設けた凹欠部１３，１３´を互いに嵌合させて格子体Ａｂを構成する。該格子体Ａｂの格子材端部側の重合部１５を、該重合部１５の交差形状と一致させた形状の凹欠部１３，１３に嵌合して見込み方向に相対する一対の構成材７´，７´、８´，８´で縦材７，８を構成する。そして、軸組開口部Ｂ´を構成する左右一対の柱３，４間に介在させて両端を前記柱３，４に接続する上下一対の横材５，６に支持穴５ａ，６ａを設け、縦材７，８の前記構成材７´，７´、８´，８´の上下両端に設けた部片７´ａ，８´ａを、対応する前記支持穴５ａ，６ａに嵌合する。【選択図】図５
2005325517.tif 000002
【特許請求の範囲】
【請求項１】
複数本の右傾斜上りの格子材と複数本の左傾斜上りの格子材を、該左右の傾斜上りの格子材間で互いに重合し、しかも、各格子材の中央と上下両端部の一方又は双方に設けた切欠部同士を互い嵌合させて格子体を構成し、該格子体の、格子材端部側の重合部を、該重合部の交差形状と一致させた形状の凹欠部に嵌合して見込み方向に相対する一対の構成材で縦材を構成すると共に、軸組開口部を構成する左右一対の柱間に介在させて両端を前記柱に接続する上下一対の横材に支持穴を設け、縦材の前記構成材の上下両端に設けた部片をそれぞれ対応する前記支持穴に嵌合した、木造建物における軸組開口部の閉塞材。
【発明の詳細な説明】
【技術分野】
【０００１】
本発明は、柱と横架材などで構成する、木造建物における軸組開口部の閉塞材に関するものである。
【背景技術】
【０００２】
例えば、枠体の片面に断熱シートを重合した平板を止着して構成し、これを軸組開口部に嵌合して該開口部を閉塞するようにした構造のものがある（例えば、特許文献１）。
【０００３】
【特許文献１】特開平９−２３５７９６号公報
【発明の開示】
【発明が解決しようとする課題】
【０００４】
前記の従来例は、平板体で構成し、軸組で構成する開口部を閉塞する、いわば密閉式のものであるが、近年、生活環境の変化に伴って密閉式以外の閉塞材が要望されるようになっている。
【０００５】
本発明は、その要望に対応するために創案したものである。
【課題を解決するための手段】
【０００６】
複数本の右傾斜上りの格子材と複数本の左傾斜上りの格子材を、該左右の傾斜上りの格子材間で互いに重合し、しかも、各格子材の中央と上下両端部の一方又は双方に設けた切欠部同士を互い嵌合させて格子体を構成し、該格子体の、格子材端部側の重合部を、該重合部の交差形状と一致させた形状の凹欠部に嵌合して見込み方向に相対する一対の構成材で縦材を構成すると共に、軸組開口部を構成する左右一対の柱間に介在させて両端を前記柱に接続する上下一対の横材に支持穴を設け、縦材の前記構成材の上下両端に設けた部片をそれぞれ対応する前記支持穴に嵌合した構成としたものである。
【発明の効果】
【０００７】
本発明によれば、軸組開口部を構成する一対の柱間に端部を接続する上下の横材を配し、該横材間に、左右傾斜上りの格子材を配する構成を採るものであるから、該格子材が軸組の補強を兼ね、しかも、開口部を部分的に閉塞するという構造が斬新で、施工が簡単な建物の壁面を提供できる。
【０００８】
しかも、前記格子材は、端部重合部が横材間にわたした一対の、縦材構成材に設けた同形の凹欠部に嵌合され、かつ、挟持されているから、外力に対して変形しにくく、軸組の補強材としても優れた閉塞材を提供することができる。
【実施例】
【０００９】
図面は本発明に係る木造建物における軸組開口部の閉塞材の一実施例を示し、図１は正面図、図２は図１の一部拡大断面図、図３は図２のａ−ａ線断面図、図４は図２のｂ−ｂ線断面図、図５は分解斜視図、図６は一部拡大斜視図である。
【００１０】
実施例は、横架材（梁や桁）１と土台２との間に左右一対の柱３，４を介在させ、該柱３，４の上下両端に設けたほぞ３ａ，４ａを横架材１又は土台２に設けたほぞ穴１ａ，２ａに嵌挿して横架材１と土台２および柱３，４を互いに接合して軸組Ｂを構成し、この軸組Ｂで取り囲んだ開口部Ｂ´に閉塞材Ａを組付けるようにして前記開口部Ｂ´を閉塞（部分的に）したものである。
【００１１】
閉塞材Ａは、上下一対の横材５，６と該横材５，６間に配して、見込み方向に重ね合わせた一対の構成材７´，７´、８´，８´で成る左右一対の縦材７，８を前記横材５，６間に介在させ、該横材５，６に設けた支持穴５ａ，６ａに長手（上下）方向に両端に設けた部片７´ａ，８´ａ（いわばほぞと成る）を嵌合して左右の縦材７，８と上下の横材５，６を互いに組付けて構成した主体枠Ａａと、該主体枠Ａａで仕切った空間域である開口部Ｂ´を部分的に閉塞した格子体Ａｂとで構成したものである。
【００１２】
格子体Ａｂは、前記左縦材７から右縦材８方向に４５°の傾斜上りにした、右傾斜上りの長短の格子材９，１０と、右縦材８から左縦材７方向に同じく４５°の傾斜上りにした、左傾斜上りの長短の格子材１１，１２を上下方向に並べて、対向面側において長い格子材９，１１にあっては長手方向の中央と両端部、また、短い格子材１０，１２にあっては長手方向の両端部にそれぞれ設けた、互いに当位する凹欠部１３，１３´同士を互いに係合して組付け、中央重合部１４と端部重合部１５を設けて成るものである。
【００１３】
実施例の場合、格子体Ａｂを構成する右傾斜上りの長短の格子材９，１０と左傾斜上りの長短の格子材１１，１２は同一形態のものを用い、表裏（見込み方向）向きを変えて、その一方を右傾斜上りのものとして、他方を左傾斜上りのものとして適用できるようにして製造コストの低減や在庫管理上の至便性を図っている。
【００１４】
前記長い格子材９，１１は、前記の通り、同形のものを適用したもので、長方形断面を備えた角柱状主体９Ａ，１１Ａの長手方向の中央と両端部に該主体９Ａ，１１Ａの板厚の半分の深さで、溝幅が主体９Ａ，１１Ａと同幅で、主体９Ａ，１１Ａの長手方向と直交する方向の凹欠部１３，１３´を備え、図２で示すように、長手方向の端部側の凹欠部１３の互いに直交する長短の縁部９ａ´，９ａ´´、１１ａ´，１１ａ´´から成る直角状にした格子材端縁９ａ，１１ａ側の、一方側の溝壁に面取りａを設け、また、長短の縁部９ａ´，９ａ´´、１１ａ´，１１ａ´´から成る前記端縁縁部９ａ，１１ａの短い縁縁部９ａ´´，１１ａ´´側は主体９Ａ，１１Ａの傾斜方向に対し水平方向に位置して成るものである。
【００１５】
短い格子材１０，１２は、長い格子材９，１１と同様に断面長方形状の角柱状主体１０Ａ，１２Ａの両端部に凹欠部１３，１３を備え、該凹欠部１３の前記主体１０Ａ，１２Ａの端縁側の溝壁に面取りａを設けると共に、端縁１０ａ，１２ａを長短の縁部１０ａ´，１０ａ´´、１２ａ´，１２ａ´´から成る直角縁と成し、長い格子材９，１１のように中央の凹欠部を備えないで、長い格子材９，１１より短く（ほぼ半分）し、残余の点は長い格子材９，１１と同様に構成したものである。
【００１６】
尚、前記面取りａは、地震等の外力の負荷によって左傾斜上りの格子材１１，１２と右傾斜上りの格子材９，１０との凹欠部１３，１３´（の溝壁）間において互いに離脱しようとする力が格子材９，１０，１１，１２の端部（前記端縁側の溝壁）に作用したとき、その存在によって該作用を緩和させ、格子材９，１０，１１，１２の凹欠部１３，１３´を構成する端部部分の欠落を防ぐことができる。
【００１７】
そして、一対の短い格子材１０，１２同士を一端側の凹欠部１３，１３において互いに係合し、互いに組合わせた各格子材１０，１２の他の一端側の凹欠部１３，１３に、中央の凹欠部１３´，１３´同士を互いに係合して組合わせた一対の長い格子材９，１１の一端側の凹欠部１３に係合し，互いに組合わせた該一対の長い格子材９，１１の他の一端側の凹欠部１３に、中央の凹欠部１３´，１３´同士を同様に係合した他の長い格子材９，１１の凹欠部１３を同様に係合し、この長い格子材９，１１の他の一端側の凹欠部１３に短い格子材１０の一端側の凹欠部１３を係合させつつ、他の一端側の凹欠部１３，１３を互いに係合させることにより、左柱材３から右柱材４方向に傾斜上りにした各一対の、長短の格子材９，９、１０，１０と、右柱材４から左柱材３方向に傾斜上りにした他の各一対の、長短の格子材１１，１１、１２，１２を互いに見込み方向に重なり合う中央重合部１４と端部重合部１５を備え、しかも、端部重合部１５より外方に突出し、左右傾斜上りの長い格子材１１，９の端縁１１ａ，９ａ同士、左傾斜上りの長い格子材１１と右傾斜上りの短い格子材１０の端縁１１ａ，１０ａ同士、右傾斜上りの長い格子材９と左傾斜上りの短い格子材１２の端縁１２ａ，９ａ同士或いは左右傾斜上りの短い格子材１２，１０の端縁１２ａ，１０ａ同士それぞれが一組となってほぼ方形状の輪郭形を成す突部１６を備えた格子体Ａｂを得ることができる。
【００１８】
そして、この格子体Ａｂの端部重合部１５を、互いに重ね合わせて前記縦材７，８を構成する前記構成材７´，７´、８´，８´の相対向面に設けた凹欠部１７，１７（端部重合部１５の交差形状と一致する形状の）に嵌合させ、構成材７´，８´の部片７´ａ，８´ａを重ね合わせてほぞ状にした重合部を上下の横材５，６に設けた支持穴５ａ，６ａに嵌挿する一方、格子体Ａｂの短い格子材１０，１２の端部同士で構成した突部１６（図面上、１６Ａで示す）を、前記横材５，６の中央に形成した中央支持穴２０に嵌挿する（図１）ようにして、実施例の、前記構成の閉塞材Ａを得るのである。
【００１９】
また、図示の実施例は、主体枠Ａａと格子体Ａｂで構成した閉塞材Ａの上下横材５，６の両端に突出したほぞ体５ｂ，６ｂと、縦材７，８の側面より突出する突部１６を前記柱３，４の相対向面に設けた受入穴２１Ａ，２１Ｂに嵌挿して軸組Ｂの柱３，４に組付け、閉塞材Ａの格子体Ａｂが成す斜め格子形状により軸組Ｂの補強材を兼用させたものである。
【００２０】
なお、柱３，４を閉塞材Ａの格子体Ａｂは、実施例のような直接的な接続（受入穴２１Ｂと突部１６の係合関係）は省略しても良い。また、図示２２は両端に雄ねじを設けた補強杆で、柱３，４間に貫通させてわたし、前記ねじ部にナット２３を螺合締付けることによって、柱３，４と主体枠Ａａおよび格子体Ａｂ相互の組付け状態を竪牢にするものである。
【図面の簡単な説明】
【００２１】
【図１】正面図。
【図２】図１の一部拡大断面図。
【図３】図２のａ−ａ線断面図。
【図４】図２のｂ−ｂ線断面図。
【図５】分解斜視図。
【図６】一部拡大斜視図。
【符号の説明】
【００２２】
５            上横材
５ａ          支持穴
６            下横材
６ａ          支持穴
７            左縦材
７´          構成材
７´ａ        部片
８            右縦材
８´          構成材
８´ａ        部片
９，１１      長い格子材
１０，１２    短い格子材
１３，１３´  凹欠部
１５          重合部
【図１】
2005325517.tif 000003
【図２】
2005325517.tif 000004
【図３】
2005325517.tif 000005
【図４】
2005325517.tif 000006
【図５】
2005325517.tif 000007
【図６】
2005325517.tif 000008